(57)【要約】      （修正有）【課題】運搬対象物が重くても、比較的楽に運搬することを可能とする運搬用バッグを提供する。【解決手段】運搬用バッグ１０は、耐水性又は撥水性を有する生地からなり、運搬対象物を載せるための帯状のバッグ本体と、バッグ本体の内面に、その帯状の長手方向に沿ってほぼ並行して縫製した少なくとも２本の補強用ベルト１２ａ，１２ｂと、バッグ本体の長手方向の両端に、２本の補強用ベルト１２ａ，１２ｂの一端に連結して縫製した取っ手１３ａ，１３ｂと、バッグ本体の側縁の一方に縫製した側面カバー部１６と、を備える。運搬用バッグ１０は、比較的重い物を雪上や草の上を引っ張って運ぶことができ、バッグ本体の側縁の一方の側面カバー部１６によって雪や草などが中に入らないようにできる。バッグ本体の側縁の他方は開放しているので、運搬対象物を入れ易く、一方の側面カバー部１６があるので安定した状態で運べる。【選択図】図１
0003207275.tif 000002
【実用新案登録請求の範囲】
【請求項１】
耐水性又は撥水性を有する生地からなり、運搬対象物を載せるための帯状のバッグ本体と、
前記バッグ本体の内面に、その帯状の長手方向に沿ってほぼ並行して縫製した少なくとも２本の補強用ベルトと、
前記バッグ本体の長手方向の両端に、２本の前記補強用ベルトの一端に連結して縫製した取っ手と、
前記バッグ本体の側縁の一方に縫製した側面カバー部と、
を備えたことを特徴とする運搬用バッグ。
【請求項２】
前記バッグ本体は、その外面にバッグの底部に該当する範囲で、耐水性又は撥水性を有する生地からなる補強カバー部を縫製したことを特徴とする請求項１に記載の運搬用バッグ。
【請求項３】
前記バッグ本体及び補強カバー部は、パラシュート生地からなることを特徴とする請求項１又は２に記載の運搬用バッグ。
【請求項４】
運搬対象物を載せるための帯状のバッグ本体と、
前記バッグ本体の内面に、その帯状の長手方向に沿ってほぼ並行して縫製した少なくとも２本の補強用ベルトと、
前記バッグ本体の長手方向の両端に、２本の前記補強用ベルトの一端に連結して縫製した取っ手と、
前記バッグ本体の側縁の一方に縫製した側面カバー部と、
を備え、
前記バッグ本体は、バッグの底部に該当する範囲で、耐水性又は撥水性を有する生地からなるバッグ底部を形成したことを特徴とする運搬用バッグ。
【請求項５】
前記バッグ底部は、パラシュート生地からなることを特徴とする請求項４に記載の運搬用バッグ。
【考案の詳細な説明】
【技術分野】
【０００１】
本考案は、運搬対象物を載せて運搬する運搬用バッグを提供する技術に関する。
【背景技術】
【０００２】
雪国などの寒い地方では、暖房のためのストーブが欠かせない。ストーブには、灯油を燃料とする石油ストーブ、電気ヒータを熱源とする電気ストーブ、薪などの木材を燃料とする薪ストーブ、その他に種々のストーブがある。
【０００３】
近年、薪ストーブは、自然環境に優しく、気持ちの安らぎを与えてくれるという点で、注目が高まっている。実際、燃料となる薪は、屋外の近くあるいは家屋の外壁に沿って積み上げられて保管されているので、その保管場所から薪ストーブのある部屋まで運ぶ必要がある。薪は、例えば使用する一日分をまとめて運搬するので、かなり重くなる。そこで、薪を運搬するための薪バックなるものが市場で販売されている。なお、薪バッグは、上記の薪ストーブのためだけでなく、例えばキャンプ場にてキャンプするために薪を運ぶためのアウトドアの用具として使用されている。
【０００４】
薪バッグとしては、例えば、コールマン社製、村本テント社製、あるいはその他の企業や個人のアイディア製品などがある。上記の両社の薪バッグは、ほぼ同じような形状をしており、薪を載置する帯状の生地からなる矩形状のバッグ本体と、バッグ本体の長手方向の両端に形成した取っ手とを備え、バッグ本体の両端の取っ手の付け根に連結した２本のベルトを並行してバッグ本体の外面に縫製して補強している。バッグ本体の生地は、火に強く、丈夫なコットン素材、綿帆布（綿１００％）からなる。バッグ本体の大きさは、例えば、幅が約３５ｃｍ、長さが約４２ｃｍである。あるいは、幅が約４２ｃｍで、長さが約７４ｃｍ又は約９５ｃｍである。
【０００５】
その他の薪バッグとしては、いわゆるトートバッグが用いられている。例えば、薪ストーブで使用する大きさの薪を入れられるように、上面が大きく開口した袋状の生地からなる薪バッグがある。この薪バッグは、破れにくい丈夫なナイロン（編み込み）の生地にコーティングした素材で製作しており、幅が約７０ｃｍ、奥行きが約３０ｃｍ、高さが約３０ｃｍの大きさである。さらに、上面開口の対向する位置にベルト製の取っ手を形成し、この取っ手の付け根に連結した２本のベルトを並行して袋状のバッグ本体の外面に縫製して補強している。
【０００６】
トートバッグとしては、例えば、特許文献１に提げ手付きバッグが示されている。この提げ手付きバッグは、胴部と底部とからなる収納部と、この胴部及び底部にその下部を取り付けている一対のＵ字状の提げ手と、この収納部の上端縁に設けている当該収納部の開口部を閉蓋し得る筒状部材とからなっている。前記底部に、当該底部の奥行きの真ん中が中折れに畳み易い張り力を有する折り目を設け、この折り目の間に、上記の提げ手の下部の下端を挿入して取り付けている。このトートバッグは、薪バッグとしては用いられないとしても、一般的な特徴を示している。
【先行技術文献】
【特許文献】
【０００７】
【特許文献１】実用新案登録第３１５７８９０号公報
【考案の概要】
【考案が解決しようとする課題】
【０００８】
従来の薪バッグは、いわゆる複数本の薪をバッグ本体に積み込んで、取っ手（あるいは提げ手）を持ち上げて運搬する。実際、薪ストーブで使用する薪は、前述のように保管場所から薪ストーブの部屋まで運ぶ必要がある。キャンプ場では、薪の保管場所からキャンプの場所まで運ぶ必要がある。薪は、たくさんの本数を一度にまとめて運搬するので、かなり重くなる。しかも、薪ストーブの場合、冬の期間中、毎日のことであるので、特に女性にとっては重労働となる。
【０００９】
また、重い物を運ぶという点では、薪に限らず、例えば農産物を畑からトラックなどの運搬用の自動車まで運ぶなど、比較的短い距離であっても人が運ばなければならない状況が多く生じる。そのために、重い物を比較的楽に運搬することを可能とする運搬用バッグが求められていた。
【００１０】
本考案はこのような事情に鑑みてなされたものであって、運搬対象物が重くても、比較的楽に運搬することを可能とする運搬用バッグを提供することを目的とする。
【課題を解決するための手段】
【００１１】
請求項１記載の考案は、耐水性又は撥水性を有する生地からなり、運搬対象物を載せるための帯状のバッグ本体と、  前記バッグ本体の内面に、その帯状の長手方向に沿ってほぼ並行して縫製した少なくとも２本の補強用ベルトと、  前記バッグ本体の長手方向の両端に、２本の前記補強用ベルトの一端に連結して縫製した取っ手と、  前記バッグ本体の側縁の一方に縫製した側面カバー部と、を備えたことを特徴としている。
【００１２】
請求項２記載の考案は、前記バッグ本体は、その外面にバッグの底部に該当する範囲で、耐水性又は撥水性を有する生地からなる補強カバー部を縫製したことを特徴としている。
【００１３】
請求項３記載の考案は、前記バッグ本体及び補強カバー部は、パラシュート生地からなることを特徴としている。
【００１４】
請求項４記載の考案は、運搬対象物を載せるための帯状のバッグ本体と、  前記バッグ本体の内面に、その帯状の長手方向に沿ってほぼ並行して縫製した少なくとも２本の補強用ベルトと、  前記バッグ本体の長手方向の両端に、２本の前記補強用ベルトの一端に連結して縫製した取っ手と、  前記バッグ本体の側縁の一方に縫製した側面カバー部と、を備え、  前記バッグ本体は、バッグの底部に該当する範囲で、耐水性又は撥水性を有する生地からなるバッグ底部を形成したことを特徴としている。
【００１５】
請求項５記載の考案は、前記バッグ底部は、パラシュート生地からなることを特徴としている。
【考案の効果】
【００１６】
本考案によれば、運搬対象物を運搬用バッグの中に入れるとき、バッグ本体の側縁の一方側が開いているので、運搬対象物を運搬用バッグの中に入れ易い。そのうえ、バッグ本体の側縁の他方側に側面カバー部を形成しているので、一方側から入れた運搬対象物が側面カバー部によって、その動きがある程度規制されるために入れ易くなる。
【００１７】
バッグ本体の上に運搬対象物を載せてから雪や草や土などのように滑り易い場所の上を滑らせて運ぶ場合、２つの取っ手にベルトなどの紐状体を結んで運用バッグを引っ張って運ぶことができる。この時、バッグ本体が耐水性又は撥水性を有する生地であるので、バッグ本体が湿らず、摩擦抵抗が小さいことから、女性の力でも比較的重い運搬対象物を楽に運ぶことができる。しかも、各補強用ベルトはバッグ本体の内面に縫製しているので、従来のバッグに比べてバッグ本体の外面は抵抗が小さくなるために楽に運べる。また、２つの取っ手が２本の補強用ベルトに連結して縫製されているので、引っ張る力が取っ手から各補強用ベルトに伝わるために、比較的重い物でも運搬することができる。
【００１８】
また、側面カバー部を形成した側が少しだけ引っ張られる側に向くように傾けて引っ張ることで、例えば雪や草木や土などが運搬用バッグの中に入り込まないように運搬することができる。その結果、雪や草木や土などを運んでしまうという事態を避けることができる。
【００１９】
なお、運搬用バッグは、２つの取っ手をつかんで持ち上げる場合であっても、バッグ本体の側縁の一方側に側面カバー部を形成しているので、運搬対象物を運搬用バッグの中に安定した状態にて運搬することができる。
【００２０】
また、バッグ本体は、その外面に、運搬用バッグの底部に該当する範囲で、耐水性又は撥水性を有する生地からなる補強カバー部を縫製することで、最も耐久性を必要とするバッグの底部を補強カバー部で強くすることができ、運搬用バッグを長持ちさせる。
【００２１】
また、バッグ本体は、バッグの底部に該当する範囲で、耐水性又は撥水性を有する生地からなるバッグ底部を形成することで、バッグ本体が耐水性又は撥水性を有していない生地の場合にも適用できる。
【００２２】
また、パラシュート生地は、軽くて耐久性に富んでおり、耐水性を有しているので、バッグ本体、補強カバー部及びバッグ底部として用いるのが望ましい。
【図面の簡単な説明】
【００２３】
【図１】本考案の第一の実施形態に係る運搬用バッグの一つの例を示し、概略的な斜視図である。
【図２】図１の運搬用バッグの内側から視た平面図である。
【図３】図１の運搬用バッグの外側から視た平面図である。
【図４】運搬対象物を入れた運搬用バッグを持ち上げた時の斜視図である。
【図５】運搬対象物を入れた運搬用バッグを引っ張る時の斜視図である。
【図６】第一の実施形態に係る運搬用バッグの別の例を示し、運搬用バッグの外側から視た平面図である。
【図７】本考案の第二の実施形態に係る運搬用バッグの一つの例を示し、運搬用バッグの外側から視た平面図である。
【考案を実施するための形態】
【００２４】
以下、本考案の第一の実施形態に係る運搬用バッグについて図面を参照して説明する。図１は本実施形態の運搬用バッグの一例を示す斜視図である。図２は、図１の運搬用バッグの内側から視た平面図である。図３は、図１の運搬用バッグの外側から視た平面図である。
【００２５】
第一の実施形態の運搬用バッグ１０は、運搬対象物を載せるための帯状のバッグ本体１１を備えている。このバッグ本体１１は、耐水性又は撥水性を有する生地からなり、運搬用バッグ１０の特徴の一つである。すなわち、運搬用バッグ１０は、例えば雪上や畑の湿った草や土の上で直に滑らせた場合、耐水性又は撥水性を有する生地であれば、バッグ本体１１が湿らず、また摩擦抵抗が小さいので、効果的である。この点で、例えばパラシュート生地は、軽くて耐久性に富んでおり、耐水性を有しているので望ましい。従って、バッグ本体１１は、耐水性又は撥水性を有する生地であればよく、パラシュート生地に限定されない。
本実施形態では、バッグ本体１１は矩形状をなしており、その大きさは、幅が約４７ｃｍ、長さが約９０ｃｍである。バッグ本体１１は、全体として格子状にステッチして強度アップを図られているが、この限りではない。さらに、バッグ本体１１の長手方向の両側縁に折り返し１４を形成し、強度アップを図っているが、この限りではない。
【００２６】
さらに、運搬用バッグ１０は、バッグ本体１１の内面に、少なくとも２本の補強用ベルト１２ａ，１２ｂをバッグ本体１１の帯状の長手方向に沿ってほぼ並行して縫製している。各補強用ベルト１２ａ，１２ｂがバッグ本体１１の内面に縫製していることは、運搬用バッグ１０の特徴の一つである。
すなわち、運搬用バッグ１０は、例えば雪上や畑の湿った草の上で直に滑らせた場合、各補強用ベルト１２ａ，１２ｂはバッグ本体１１の内面に縫製しているので、従来のように補強用ベルトをバッグ本体の外面に縫製した場合に比べて、バッグ本体１１の外面は抵抗が小さくなるので、効果的である。
【００２７】
さらに、運搬用バッグ１０は、バッグ本体１１の長手方向の両端に、取っ手１３ａ，１３ｂを少なくとも２本の補強用ベルト１２ａ，１２ｂのうちの２本の一端に連結して縫製している。従って、２つの取っ手１３ａ，１３ｂをつかんで持ち上げた場合、あるいは２つの取っ手１３ａ，１３ｂにロープあるいはベルトなどの紐状体３０を結んで運搬用バッグ１０を引っ張る場合、その力が取っ手１３ａ，１３ｂから各補強用ベルト１２ａ，１２ｂに伝わるので、比較的重い物でも運搬することができる。
【００２８】
さらに、運搬用バッグ１０は、ベルト状の補強縁部１５ａ，１５ｂを、バッグ本体１１の長手方向の両端縁に沿ってバッグ本体１１の内面に、各補強用ベルト１２ａ，１２ｂの上から縫製することができる。これにより、バッグ本体１１の長手方向の両端縁に対して強度アップを図ることができる。
【００２９】
さらに、運搬用バッグ１０は、側面カバー部１６をバッグ本体１１の側縁の一方に縫製している。この側面カバー部１６は、耐水性又は撥水性を有する生地を用いることが望ましいが、この限りではない。また、側面カバー部１６は、本実施形態では、図１に示すようにほぼ半円形状であるが、この形状に限定されない。また、側面カバー部１６をバッグ本体１１の側縁の一方に形成していることは、従来のバッグとは異なる点であり、運搬用バッグ１０の特徴の一つである。
すなわち、運搬用バッグ１０は、例えば雪上や畑の湿った草の上で直に滑らせる場合、図５に示すように、側面カバー部１６を形成した側が少しだけ引っ張られる側に向くように斜めに傾けて引っ張ることにより、雪や草や土などが運搬用バッグ１０の中に入り込まないように防ぐことができる。その逆の方向に傾けて引っ張ると、開放されている側縁の側が斜め前方を向くために、雪や草や土などが入ってきてしまうので、引っ張る時に少しお注意を払うだけで十分である。
【００３０】
さらに、運搬用バッグ１０は、図４に示すように、例えば２つの取っ手１３ａ，１３ｂをつかんで持ち上げる場合、バッグ本体１１の側縁の一方に側面カバー部１６を形成していることで、従来のようなバッグ本体の両側縁側が開放されている薪バックと違って、運搬対象物４０を運搬用バッグ１０の中に安定した状態で運搬することができる。
【００３１】
さらに加えて、運搬用バッグ１０は、バッグ本体１１の側縁の他方側が開いているので、一般的なトートバッグと違って運搬対象物４０を運搬用バッグ１０の中に入れ易くなるという効果がある。まして、運搬対象物４０が重い物であればなおのこと効果がある。そのうえ、バッグ本体１１の側縁の一方に側面カバー部１６を形成していることで、他方側から入れた運搬対象物４０が側面カバー部１６によって、その動きがある程度規制されるために、入れ易さが向上する効果もある。
【００３２】
バッグ本体１１は、図６に示すように、その外面に運搬用バッグ１０の底部に該当する範囲で、耐水性又は撥水性を有する生地からなる補強カバー部１７を縫製することができる。この補強カバー部１７は、例えば前述のパラシュート生地が望ましいが、この限りではない。これにより、運搬用バッグ１０は、例えば雪上や畑の湿った草の上で直に滑らせる場合、最も耐久性を必要とする運搬用バッグ１０の底部を補強カバー部１７で強くすることができるので、運搬用バッグ１０が長持ちすることになる。
【００３３】
以上のことから、例えば比較的に短い距離であるが、本実施形態の運搬用バッグ１０を用いて雪上で薪を運搬する場合について作用及び効果を説明する。
まず、薪の保管場所から薪を運搬用バッグ１０の中に入れるとき、バッグ本体１１の側縁の一方側が開いているので、薪を運搬用バッグ１０の中に入れ易い。そのうえ、バッグ本体１１の側縁の他方側に側面カバー部１６を形成しているので、一方側から入れた薪が側面カバー部１６によって、その動きがある程度規制されるために入れ易くなる。
【００３４】
バッグ本体１１の上に薪を載せてから雪上を滑らせて運ぶ場合、図５に示すように、２つの取っ手１３ａ，１３ｂにベルトなどの紐状体３０を結んで運搬用バッグ１０を引っ張って運ぶことができる。この時、バッグ本体１１が耐水性又は撥水性を有する生地であるので、バッグ本体１１が湿らず、摩擦抵抗が小さいことから、女性の力でも比較的重い薪のような運搬対象物４０を楽に運ぶことができる。しかも、各補強用ベルト１２ａ，１２ｂはバッグ本体１１の内面に縫製しているので、従来のバッグに比べてバッグ本体１１の外面は抵抗が小さくなるために楽に運べる。また、２つの取っ手１３ａ，１３ｂが２本の補強用ベルト１２ａ，１２ｂに連結して縫製されているので、引っ張る力が取っ手１３ａ，１３ｂから各補強用ベルト１２ａ，１２ｂに伝わるために、比較的重い物でも運搬することができる。
【００３５】
また、側面カバー部１６を形成した側が少しだけ引っ張られる側に向くように傾けて引っ張ることで、雪が運搬用バッグ１０の中に入り込まないように運搬することができる。その結果、雪を部屋に運んでしまうという事態を避けることができる。この点で、従来のバッグでは、雪のために湿って重くなり、雪上を滑らせて運搬することはできないので、取っ手１３ａ，１３ｂを持ち上げて運ぶことになる。重い物を運ぶために重労働となる。
なお、運搬用バッグ１０は、図４に示すように、２つの取っ手１３ａ，１３ｂをつかんで持ち上げる場合であっても、バッグ本体１１の側縁の一方に側面カバー部１６を形成しているので、薪を運搬用バッグ１０の中に安定した状態にて運搬することができる。
【００３６】
上記では雪上を運ぶ場合を例にとって説明したが、比較的短い距離であるが運搬用バッグ１０を滑らせ易い場所では、同じようにして運搬用バッグ１０を用いて運搬対象物４０を運ぶことができる。例えば農産物を畑からトラックなどの運搬用の自動車まで運ぶ場合、草が茂っているあぜ道や柔らかい土などの上を滑らせて、重い物を比較的楽に運ぶことができる。また、側面カバー部１６は、土や草木などを運搬用バッグ１０の中に入れないようにする効果がある。そのように前述の雪上を運ぶ場合と同様の効果を図ることができる。
【００３７】
次に、本考案の第二の実施形態に係る運搬用バッグ２０について図面を参照して説明する。この運搬用バッグ２０は、前述の第一の実施形態の運搬用バッグ１０とほぼ同様であるので、主として異なる点を説明し、同様の部材は同じ符号を付して説明する。
【００３８】
第二の実施形態の運搬用バッグ２０は、図７に示すように、バッグ本体２１が耐水性又は撥水性を有していない生地の場合に該当する。すなわち、バッグ本体２１の生地が、従来の薪バッグで使用されているような、火に強く、丈夫なコットン素材、綿帆布（綿１００％）、あるいは破れにくい丈夫なナイロン（編み込み）の生地にコーティングした素材、あるいはその他の生地で製作している場合である。
【００３９】
この場合、バッグ本体２１は、運搬用バッグ２０の底部に該当する範囲で、耐水性又は撥水性を有する生地からなるバッグ底部２２を形成することができる。このバッグ底部２２は、次のような形態を含む。一つは、耐水性又は撥水性を有していない生地のバッグ本体２１の外面に、耐水性又は撥水性を有する生地をバッグ底部２２として縫製してもよい。あるいは、バッグ本体２１の全体の中で、運搬用バッグ２０の底部に該当する範囲は、耐水性又は撥水性を有する生地でバッグ底部２２を形成し、その他の範囲は耐水性又は撥水性を有していない生地で形成することもできる。
また、側面カバー部１６は、前述の第一の実施形態の場合と同様であり、耐水性又は撥水性を有する生地で形成することが望ましいが、この限りではない。
【００４０】
以上のことから、第二の実施形態の運搬用バッグ２０の作用及び効果は、前述の第一の実施形態とほぼ同様であるので、詳しい説明は省略する。
【産業上の利用可能性】
【００４１】
本考案は、家具・インテリアの製造・販売及びその関連事業、バッグの製造・販売及びその関連事業、アウトドア用品の製造・販売及びその関連事業、あるいは運搬具の製造・販売及びその関連事業などにおいて、利用可能性を有する。
【符号の説明】
【００４２】
１０  運搬用バッグ（第一の実施形態）
１１  バッグ本体
１２ａ，１２ｂ  補強用ベルト
１３ａ，１３ｂ  取っ手
１４  折り返し
１５ａ，１５ｂ  補強縁部
１６  側面カバー部
１７  補強カバー部
２０  運搬用バッグ（第二の実施形態）
２１  バッグ本体
２２  バッグ底部
３０  紐状体
４０  運搬対象物
【図１】
0003207275.tif 000003
【図２】
0003207275.tif 000004
【図３】
0003207275.tif 000005
【図４】
0003207275.tif 000006
【図５】
0003207275.tif 000007
【図６】
0003207275.tif 000008
【図７】
0003207275.tif 000009